(57)【要約】【課題】ディスクケースの改良構造の提供。【解決手段】本考案の構造は、ケースはプラスチック材質を採用し、ディスクを収容、保管するものであると共に、ディスクが傷損しないように保護する効果を提供する。その構造は、ケース上の放置槽の周囲に設置された可動フックにより、可動フックの二個の可動位置を利用し、ディスクケースが効果的に放置槽内に固定され、ディスク蓋合時、ディスクが外力の影響で脱落するのを防止し、ディスク保護の目的を達成する。【選択図】    図３
0003123338.tif 000002
【実用新案登録請求の範囲】
【請求項１】
ディスクケースの改良構造であって、プラスチック材質から一体成形でなり、ケース内に放置槽を有し、前記放置槽中央に承座を設置し、その特徴は、
前記放置槽外周に一つ以上の可動フックを設置し、前記可動フックは二つの可動位置を有し、前記可動フックの定位位置により、ディスクを前記放置槽内に圧合し、効果的にディスクを固定する目的を達成することを特徴とするディスクケースの改良構造。
【請求項２】
前記ディスクケースは、前記放置槽の深さを増加することにより、前記ディスクケースのディスク放置容量を増やすことができることを特徴とする請求項１に記載のディスクケースの改良構造。
【考案の詳細な説明】
【技術分野】
【０００１】
本考案はディスクケース改良構造に関し、詳細には、プラスチック材質からなり、ディスクケース上の放置槽周囲に可動フックを設置し、可動フックの二つの可動位置により、ディスクが放置槽内に効果的に固定され、ディスクを保護する効果を達成するディスクケース改良構造に関する。
【背景技術】
【０００２】
情報氾濫の時代にあり、公知のデータ記録方式では応用不足であり、コンピュータの発明後、膨大な量のデータ処理を解決することができるようになって、情報産業も発達し、新技術と開発により、情報処理運用もますます便利になっている。現在の技術は膨大なデータ、或いは、画像をディスクに焼くことが出来、これにより、携帯や保管も便利になっている。ディスク上には多くのデータを保存しているので、不注意によってディスクが破壊され、大量のデータが遺失しないように注意を払う必要がある。
【０００３】
よって、ディスク保護は非常に重要な課題であり、ディスクが削損してデータの遺失を生じないよう、ディスクケースの使用率が増加している。特に、映画ディスク、ゲームディスク産業において、現在使用するディスクケースは、一般に、好ましい弾性を有するプラスチック材質を採用している。ディスクケースは、現在、二種類が設計されている。一つは、ケース内部構造が、図１、及び、図２で示されるようなものか、或いは、米国特許第５７８８０６８号で開示されるような、主に、ディスク体１００内の放置槽３００により、中央が凸形の承座２００を設計し、承座は係合アーム２０１上のロック素子２０２により、ディスクを係合アーム上に係合し、承座四周に弾性片２０３を設置して、等分で周囲に散布し、指により係合アーム頂部を押圧して、ディスク４００の円孔がロック素子の抵止から脱離できる。この時、弾性片の反作用を受けて、ディスクは自動的に上弾し、ディスクが取り出しやすいが、この種の方式は、ディスクケースが蓋合する時、プラスチック材質の弾性により、外力の圧迫を受けてケース蓋が変形し、変形したケースは係合アーム頂部を圧迫し、ディスクが承座を脱離し、ディスクケースを開くと、ディスクがケースから脱落し、これにより、ディスクが傷損する恐れがある。
【０００４】
もう一種のディスクケースは、ディスクケース中央の凸形の承座を、放置槽周囲に設置された数個のロック素子で代替するもので、例えば、米国特許第６８３７３７０号で開示されるように、放置槽のロック素子を開き、ディスクを放置槽内に放入し、プラスチック弾性により、ロック素子が元の位置に戻ってディスクを係合固定するもので、この種の方式は係合アームの頂部を誤って押圧して、ディスクが承座を脱離する現象を回避することができるが、ロック素子が元の位置に戻る功能は、ロック素子を開く方法が、ディスクの取り出しを困難にするという欠点がある。
【０００５】
上述のように、現有のディスクケースは、消費者の要求を満足させることが出来ず、改良が待たれる。
【考案の開示】
【考案が解決しようとする課題】
【０００６】
本考案は、上述の欠点を改善するようなディスクケースの改良構造を提供し、放置槽の横に設置された一つ以上の可動フックを採用し、可動フックは二つの可動位置を有し、可動フックはディスクを放置槽内に圧合して、効果的にディスクを固定することを目的とする。
【課題を解決するための手段】
【０００７】
上述の目的を達成するため、本考案は、ケース体内部にディスクの放置槽を設置し、放置槽中央に凸形の承座を設置し、放置槽外周に一つ以上の可動フックを設計し、可動フックの二個の可動位置を利用し、可動フックがディスク上方を圧合して放置槽内に固定され、これにより、ディスクケース蓋合時、外力押圧により、ディスクケースが固定効果を喪失するのを防止し、この他、可動フックが開始位置にシフトして、可動フックがディスク上方を脱離し、弧形槽からディスクが取り出せ、この方式はロック素子が元の位置に戻る方式で生じる問題を改善する。
【考案の効果】
【０００８】
本考案により、ディスクケース蓋合時、外力押圧により、ディスクケースが固定効果を喪失するのを防止し、この他、可動フックが開始位置にシフトして、可動フックがディスク上方を脱離し、弧形槽からディスクが取り出せ、この方式はロック素子が元の位置に戻る方式で生じる問題を改善する。
【考案を実施するための最良の形態】
【０００９】
図３〜図５は、本考案のディスクケースの改良構造を示し、主な構造は、放置槽１１、承座１２、及び、可動フック１３からなる。
【００１０】
プラスチック材質を採用してなる上蓋とケース体は一体成形でディスクケース１０を形成する。ケース内にディスクの放置槽１１を設置し、放置槽中間は承座１２を有する。放置槽は承座を中心に囲繞し、槽内凹陥箇所はディスクを放置でき、放置槽外周は一つ以上の可動フック１３を設置する。可動フックは二つの可動位置を有し、放置槽は、可動フック以外に、弧形槽１４を増設し、ディスクの取り出しが容易である。
【００１１】
ディスク２０をディスクケース１０内に放置し、ディスクの円孔２１が承座１２に配置されることにより、放置槽１１外周に設置された可動フック１３は、放置槽内側に向けて定位位置に移動し（図６、図７、及び、図８で示されるように、可動フックは点線を経て実線の位置に移動する）、この時、可動フックはディスク上に位置し、ディスクは放置槽内に固定される。この種の方式はディスクケース蓋合時、外力押圧により、ディスクケースが固定効果を喪失するのを防止する。ディスクケースから、ディスクを取り出したい時、可動フックは外側から開始位置に移動して、可動フックはディスク上方を脱離し、弧形槽１４からディスクを直接取り出すことができ、ディスクケースは放置槽の深さを増加して、ディスクケースのディスク放置容量を増やすことができる。
【図面の簡単な説明】
【００１２】
【図１】公知の構造の局部断面図である。
【図２】公知の構造の実施図である。
【図３】本考案の構造の立体システム図である。
【図４】本考案の構造の局部拡大図である。
【図５】本考案の構造の断面図である。
【図６】本考案の構造の実施図である。
【図７】本考案の構造の局部拡大図である。
【図８】本考案の構造の実施図である。
【図９】本考案の構造の実施図である。
【図１０】本考案の構造の局部拡大図である。
【符号の説明】
【００１３】
公知技術
１００      ディスクケース
２００      承座        
２０１      係合アーム
２０２      ロック素子
３００      放置槽
４００      ディスク
本考案
１０        ディスクケース
１１        放置槽
１２        承座
１３        弧形槽
２０        ディスク
２１        円孔
【図１】
0003123338.tif 000003
【図２】
0003123338.tif 000004
【図３】
0003123338.tif 000005
【図４】
0003123338.tif 000006
【図５】
0003123338.tif 000007
【図６】
0003123338.tif 000008
【図７】
0003123338.tif 000009
【図８】
0003123338.tif 000010
【図９】
0003123338.tif 000011
【図１０】
0003123338.tif 000012